(57)【要約】【課題】遮光板でストロボ光を減光する際に適切な配光パターンとする。【解決手段】ストロボ発光部１０の前面でストロボ発光部１０の一部を覆う遮光位置と、ストロボ発光部１０の前面から退避した退避位置との間で移動自在な遮光板１６が設けられている。ストロボ放電管を挟むストロボ発光部１０の上端部と下端部とから被写体に向けてストロボ光が照射されるように、遮光板１６は、遮光位置のときにストロボ発光部１０の中央部を長手方向に覆う。【選択図】　　　　図２
2004061536.tif 000002
【特許請求の範囲】
【請求項１】
ストロボ放電管の長手方向に長いストロボ発光部から被写体に向けて一定光量のストロボ光を照射するストロボ装置を備えたレンズ付きフイルムユニットにおいて、
前記ストロボ発光部の中央部をその長手方向に沿って覆って遮光する遮光板を備え、前記ストロボ放電管を挟むストロボ発光部の上下端部から射出されるストロボ光だけを被写体に向けて照射することにより、ストロボ光を減光することを特徴とするレンズ付きフイルムユニット。
【請求項２】
前記遮光板は、前記ストロボ発光部の中央部を上下及び左右対称に覆うことを特徴とする請求項１記載のレンズ付きフイルムユニット。
【請求項３】
前記遮光板は、前記ストロボ発光部の中央部を覆う遮光位置と、前記ストロボ発光部の前面から退避した退避位置との間で移動自在であることを特徴とする請求項１記載のレンズ付きフイルムユニット。
【請求項４】
前記遮光板の遮光位置と退避位置との間での移動に連動してシャッタ速度及び絞り値のいずれか一方または両方を切り換えることを特徴とする請求項３記載のレンズ付きフイルムユニット。
【請求項５】
前記遮光板が遮光位置とされることに連動して、遮光板で減光されたストロボ光量によって適正露光となる被写体距離に撮影レンズのピント位置をほぼ合致させるように切り換えるピント調節手段を備えたことを特徴とする請求項３または４に記載のレンズ付きフイルムユニット。
【請求項６】
前記遮光板で減光されたストロボ光量によって適正露光となる被写体距離及び遮光板を遮光位置としたときのピント位置がそれぞれ２〜４ｍの範囲内であることを特徴とする請求項５記載のレンズ付きフイルムユニット。
【発明の詳細な説明】
【０００１】
【発明の属する技術分野】
本発明は、ストロボ装置を内蔵したレンズ付きフイルムユニットに関するものである。
【０００２】
【従来の技術】
未露光の写真フイルムが予め装填されたレンズ付きフイルムユニットが各種販売されている。レンズ付きフイルムユニットは、シャッタ機構やフイルム巻上げ機構等の撮影機構が簡略化されて安価であること、撮影操作が簡単であること等を特徴としており、手軽に使用できることから広く普及している。
【０００３】
このようなレンズ付きフイルムユニットでは、室内や夜間等の暗い場所でも撮影できるようにストロボ装置を内蔵したものや、近接撮影を可能にしたもの，絞り値を切り換えて、暗い場所での撮影から明るい場所での撮影まで良好な撮影ができるようにしたものなどがある。さらに、シャッタ速度や絞り値，ストロボ光量を切り換えることにより夜間や室内での比較的に暗い場所でも良好な撮影が行えるようにしたレンズ付きフイルムユニットも特開２０００−１６２７３８号公報で知られている。
【０００４】
通常よりも被写体距離が短い近接撮影を行う場合においては、通常時と同じストロボ光量を被写体に照射して撮影を行うと、ストロボ光量が多すぎて露光オーバーとなってしまう。このような不都合を防止するストロボ装置が特開２０００−１２２１２６号公報によって、またレンズ付きフイルムユニットが特開２０００−２７５７０８号公報によって知られている。
【０００５】
特開２０００−１２２１２６号公報に記載されたストロボ装置では、ストロボ発光部の左右端から射出されるストロボ光だけを被写体に向けて照射するように横長のストロボ発光部の中央部を遮光板で上下に覆うことで、ストロボ光を減光している。また、特開２０００−２７５７０８号公報に記載されたレンズ付きフイルムユニットでは、光量制限板でストロボ発光部の全面を覆い、被写体に向けて照射されるストロボ光を減光している。光量制限板としては、半透明なフィルタやハーフミラー，不透明な板に複数の孔を形成したものなどが用いられている。
【０００６】
他方、特開２０００−１６２７３８号公報に記載されたレンズ付きフイルムユニットでは、夜間や室内での比較的に暗い場所で撮影する場合に、背景の描写性を高めるために絞りを大きく（絞り値を小さく）し、これに合わせてストロボ光量を小さくしている。ストロボ光量を小さくする手法としては、特開２０００−２７５７０８号公報に記載されたものと同様である。
【０００７】
【発明が解決しようとする課題】
被写体に向けて照射されるストロボ光量を小さくするために、特開２０００−１２２１２６号公報に記載されているように、横長なストロボ発光部の中央部を上下に覆うように遮光板を挿入する手法を採用すると、撮影画面の周辺部に対するストロボ光の照射量が不足するという問題があった。このような問題は、横長なストロボ発光部の中央部を上下に覆った場合に、ストロボ光の配光パターンが変化して、撮影画面の中央部に比べて周辺部のストロボ光の照射量の低下が著しくなるためである
【０００８】
なお、特開２０００−１２２１２６号公報に記載されるように近接撮影を目的とする場合には、主要被写体が撮影画面の中央であることが多いため、上記のように撮影画面の周辺部のストロボ光の照射量の低下が大きくてもあまり問題にはならない。
【０００９】
また、特開２０００−２７５７０８号公報や特開２０００−１６２７３８号公報に記載された光量制限板のようにストロボ発光部の全面を覆う場合では、ストロボ光の配光パターンの変化はあまりないが、光量制限板がストロボ発光部の全面を覆う必要があり、光量制限板のサイズが大きくなるとともに、この光量制限板をストロボ発光部から退避した位置と覆う位置との間で移動自在にすると、その移動量が大きく、収納スペースが大きくなるため小型化を図る上での妨げとなっていた。
【００１０】
一方、ストロボ光による適正露出の位置（被写体距離）は、一定なフイルム感度の下ではストロボ光量と絞り値とによって決まる。しかしながら、その適正露出の位置と、撮影レンズのピント位置とは相関関係がない。したがって、絞り値の切り換えに連動してストロボ光を減光しただけでは、ストロボ光で適正露出が得られる位置でピントが合致せず、ピントが合致している位置で露光オーバーあるいはアンダーになるという問題も発生する。
【００１１】
本発明は、上記の事情を考慮してなされたもので、小型化に有利にしながら良好なストロボ光の配光パターンが得られ、またピント及び露出を良好にすることができるレンズ付きフイルムユニットを提供することを目的とする。
【００１２】
【課題を解決するための手段】
上記目的を達成するために、請求項１記載のレンズ付きフイルムユニットでは、ストロボ発光部の中央部をその長手方向に沿って覆って遮光する遮光板を備え、ストロボ放電管を挟むストロボ発光部の上下端部から射出されるストロボ光だけを被写体に向けて照射することにより、ストロボ光を減光するものである。
【００１３】
請求項２記載のレンズ付きフイルムユニットでは、遮光板を、ストロボ発光部の中央部を上下及び左右対称に覆うようにしたものである。
【００１４】
請求項３記載のレンズ付きフイルムユニットでは、遮光板を、ストロボ発光部の中央部を覆う遮光位置と、前記ストロボ発光部の前面から退避した退避位置との間で移動自在としたものである。
【００１５】
請求項４記載のレンズ付きフイルムユニットでは、遮光板の遮光位置と退避位置との間での移動に連動してシャッタ速度及び絞り値のいずれか一方または両方を切り換えるものである。
【００１６】
請求項５記載のレンズ付きフイルムユニットでは、遮光板が遮光位置とされることに連動して、遮光板で減光されたストロボ光量によって適正露光となる被写体距離に撮影レンズのピント位置をほぼ合致させるように切り換えるピント調節手段を備えたものである。
【００１７】
請求項６記載のレンズ付きフイルムユニットでは、遮光板で減光されたストロボ光量によって適正露光となる被写体距離及び遮光板を遮光位置としたときのピント位置がそれぞれ２〜４ｍの範囲内としたものである。
【００１８】
【発明の実施の形態】
図１に本発明を実施したレンズ付きフイルムユニットの外観を示す。レンズ付きフイルムユニットは、ユニット本体２と、このユニット本体２を部分的に覆う外装体３とから構成されており、ユニット本体２にはシャッタ機構，絞り切替え機構，シャッタ速度切替え機構，フイルム給送機構，ストロボ装置４（図５参照）等の各種撮影機構が内蔵されている。また、ユニット本体２には、未露光の写真フイルムと撮影済の写真フイルムを収納するカートリッジとが製造時に装填されている。
【００１９】
ユニット本体２の前面には、撮影レンズ５，ファインダ６の対物側窓６ａ，モード選択部材８，ストロボ操作部材９，ストロボ装置４のストロボ発光部１０が設けられている。また、ユニット本体２の上面には、レリーズボタン１１，残り撮影可能コマ数を表示するカウンタ窓１２，ストロボ発光の準備が完了したことを表示するライトガイド１３が突出する充電完了表示窓１３ａが設けられている。さらに、背面には、１コマの撮影ごとに回転操作される巻上げノブ１４が露呈され、対物側窓６ａに対面する位置にファインダ６の接眼側窓（図示省略）が設けられている。外装体３は、ユニット本体２の中央部分に貼付されており、各部に設けた開口から撮影レンズ５，ファインダ６，カウンタ窓１２等を外部に露呈させている。
【００２０】
モード選択部材８は、撮影モードとして通常モードと夜景モードとのいずれかを選択するためのものであり、図１に示される夜景モード位置と、この夜景モード位置から下方にスライド移動した通常モード位置との間でスライド自在にされている。また、ストロボ操作部材９は、撮影時のストロボ発光のオン・オフを選択するためのものであり、図１に示されるオン位置と、このオン位置から下方にスライド移動されたオフ位置との間でスライド自在にされている。ライトガイド１３は、ストロボ操作部材９がオン位置にスライドされることによって、図示されるようにユニット本体２の上面に突出される。
【００２１】
ストロボ操作部材９は、モード選択部材８が夜景モード位置にスライド移動されることに連動してオン位置にスライド移動され、モード選択部材８は、ストロボ操作部材９がオフ位置にスライド移動されることに連動して通常モード位置にスライド移動される。なお、通常モード選択時では、ストロボ操作部材９をオン位置，オフ位置のいずれにもセットが可能である。
【００２２】
通常モードは、日中屋外等の明るい場所での撮影に対応するモードである。また、通常モードは、ストロボ操作部材９をオン位置とすることでストロボ発光させることもでき、比較的に明るい室内での撮影や逆光時の撮影にも利用できる。この通常モードでは、ストロボ発光の有無にかかわらず、比較的に高速な第１シャッタ速度と絞り開口径が小さい小絞りで撮影が行われる。
【００２３】
夜景モードは、例えば結婚式の披露宴会場などのように暗い室内や夜間屋外等に対応し主要被写体をストロボ光によりほぼ適正な露光量で撮影できるとともに、暗い背景を適度な明るさで撮影することができるモードである。この夜景モードでは、上記の第１シャッタ速度よりも低速な第２シャッタ速度と、小絞りよりも絞り開口径が大きい大絞りが撮影に用いられる。また、この夜景モードでは、ストロボ発光を強制的に行う。前述のようにモード選択部材８に連動してストロボ操作部材９がオン位置にセットされることによって、ストロボ発光が必ず行われるようになる。
【００２４】
ストロボ発光部１０は、ユニット本体２の前面に横長の長方形に露呈されている。このストロボ発光部１０からは、ストロボ操作部材９がオン位置にセットされているときに、シャッタ羽根の開閉に同期して一定光量のストロボ光が射出される。
【００２５】
このレンズ付きフイルムユニットには、被写体に照射されるストロボ光量を低くするための遮光性を有した遮光板１６が設けられている。遮光板１６は、図示されるようにストロボ発光部１０の前面に配されてその一部を覆う遮光位置と、図に二点鎖線で示すようにストロボ発光部１０の前面から退避してユニット本体２内に収納された退避位置との間で移動自在とされている。この遮光板１６は、モード選択部材８に連動しており、モード選択部材８が通常モード位置のときに退避位置とされ、夜景モード位置のときに遮光位置となる。
【００２６】
図２に示すように、ストロボ発光部１０は、ストロボ光を放出するストロボ放電管１７と、ストロボ放電管１７からのストロボ光を前方に反射するリフレクタ１８と、ストロボ放電管１７及びリフレクタ１８を保護する透明なプロテクタ１９とからなる。ストロボ放電管１７は、細長い円柱形状をしており、その長手方向（軸心に沿った方向）が写真フイルム上の撮影画面の長手方向と一致するようにリフレクタ１８に取り付けられている。
【００２７】
リフレクタ１８は、Ｕ字状に湾曲されてストロボ放電管１７の周面と平行になるように配された湾曲反射部１８ａと、湾曲反射面１８ａの両端を塞ぐようにストロボ放電管１７の両端部近くに設けられた平板状の側面反射部１８ｂとからなり、前方が横長の長方形に開口している。このリフレクタ１８の開口部分を塞ぐようにプロテクタ１９が取り付けられ、このプロテクタ１９がユニット本体２の前面に露呈されている。したがって、ストロボ発光部１０は、ストロボ放電管１７の長手方向に長くなっている。
【００２８】
遮光板１６は、長い長方形の板状であり、遮光位置にセットされたときには、ストロボ発光部１０の前面でその中央部をストロボ発光部１０の長手方向、すなわちストロボ放電管１７の長手方向に沿った方向に覆う。より詳しくは、図３に示すように、遮光板１６は、その上下方向の長さｈがストロボ発光部１０の上下方向の長さＨよりも短くされている。この遮光板１６を遮光位置にセットすると、遮光板１６は、上下左右対称にストロボ発光部１０の中央部を左右方向（長手方向）に覆い、ストロボ放電管１７を挟むストロボ発光部１０の上端部１０ａと下端部１０ｂだけを露呈した状態とする。
【００２９】
上記のように遮光板１６を配することで、夜景モード下ではストロボ放電管１７を挟むストロボ発光部１０の上端部１０ａと下端部１０ｂからストロボ光を照射し、被写体に照射するストロボ光量を小さくするとともに、好ましい配光パターンを得る。
【００３０】
湾曲反射部１８ａで反射されるストロボ光の反射状態を図４（ａ）に、側面反射部１８ｂで反射されるストロボ光の反射状態を図４（ｂ）にそれぞれ模式的に示すように、ストロボ発光部１０の中央部をストロボ放電管１７の長手方向に沿って遮光板１６で覆うことにより、撮影画面の周辺に向かうストロボ光量をあまり落とすことなく画面中央に向かうストロボ光を大幅にカットすることができるため、配光パターンを良好にしながらストロボ光が減光される。
【００３１】
図５に示すように、撮影レンズ５と写真フイルムとの間を遮光する暗箱（図示省略）の前面には、シャッタ開口２１が形成されている。このシャッタ開口２１の前方にシャッタ羽根２２が配されている。シャッタ羽根２２は、その羽根部２２ａでシャッタ開口２１を覆った閉じ位置と、シャッタ開口２１の前面から退避した全開位置を経てさらに回動した終端位置との間で回動自在に組み付けられている。このシャッタ羽根２２は、復帰バネ２３によって閉じ位置に向けて付勢されており、通常は閉じ位置にありシャッタ開口２１を塞いでいる。
【００３２】
シャッタ速度切替え機構としての回転規制レバー２５は、その一端に規制片２５ａが形成されており、規制片２５ａがシャッタ羽根２２の回転軌跡上から退避した退避位置と、全開位置と終端位置との間で回転軌跡上に入り込んだ規制位置との間で回動自在に組み付けられている。
【００３３】
レリーズボタン１１を押圧操作すると、シャッタ駆動レバー（図示せず）がチャージ位置からリリース位置に向けて高速に移動する。この移動の間にシャッタ羽根２２の当接部２２ｂがシャッタ駆動レバーによって蹴飛ばされ、シャッタ羽根２２が復帰バネ２３の付勢力に抗して終端位置に向けて回動する。なお、シャッタ駆動レバーは、写真フイルムの１コマ分の給送に連動してチャージ位置にセットされる。
【００３４】
回転規制レバー２５が退避位置のときには、シャッタ羽根２２は、終端位置にまで回動した後に復帰バネ２３の付勢力によって閉じ位置に戻る。また、回転規制レバー２５が規制位置のときには、シャッタ羽根２２は、終端位置に達する前に規制片２５ａに当接し復帰バネ２３の付勢力によって閉じ位置に戻る。このようにすることで、シャッタ羽根２２は、回転規制レバー２５が退避位置のときに作動角（回転角）が相対的に大きくされて低速な第２シャッタ速度で駆動され、規制位置のときには作動角が相対的に小さくされて高速な第１シャッタ速度で駆動される。
【００３５】
撮影レンズ５とシャッタ羽根２２との間で、撮影レンズ５の光軸上には、固定絞り板２６が配されている。この固定絞り板２６には、大絞りとしての大絞り開口２６ａが形成されている。絞り切替え機構としての可動絞り板２７は、その先端部に大絞り開口２６ａよりも小さい開口径の小絞り開口２７ａが小絞りとして形成されている。この可動絞り板２７は、撮影レンズ５の光軸上に小絞り開口２７ａを配した挿入位置と、撮影レンズ５の光軸から退避した退避位置との間で回動自在とされている。
【００３６】
可動絞り板２７が退避位置のときには、撮影レンズ５からの光は大絞り開口２６ａによって、その光量が制限されるから大絞りでの撮影となる。一方、可動絞り板２７が挿入位置のときには、撮影レンズ５の光軸上に大絞り開口２６ａと小絞り開口２７ａが配されるので、結果として小絞り開口２７ａを用いた小絞りによる撮影となる。
【００３７】
モード選択部材８が一体に形成されたスライド板３１は、通常モード位置と夜景モード位置に対応して上下方向にスライド自在とされている。このスライド板３１は、連動機構３２を介して回転規制レバー２５と可動絞り板２７に連結されている。この連動機構３２により、モード選択部材８を通常モード位置から夜景モード位置にスライドさせると、回転規制レバー２５が規制位置から退避位置に、可動絞り板２７が挿入位置から退避位置に回動する。逆に、モード選択部材８を夜景モード位置から通常モード位置にスライドさせると、回転規制レバー２５が退避位置から規制位置に、可動絞り板２７が退避位置から挿入位置に回動する。これにより、通常モードでは、高速な第１シャッタ速度と小絞りによる撮影が行われ、夜景モードでは低速な第２シャッタ速度と大絞りによる撮影が行われる。
【００３８】
また、スライド板３１には前述の遮光板１６が一体に形成されており、スライド板３１とともに遮光板１６がスライド移動する。これにより、遮光板１６は、通常モード時では退避位置に、夜景モード時には遮光位置にセットされる。遮光板１６は、ストロボ発光部１０の長手方向に沿って細長い板状であり、その短辺に沿った方向に、ストロボ発光部１０の短辺のほぼ半分の移動量だけ移動させるだけでよいから、退避位置と挿入位置との間の移動量が小さくでき、また遮光板１６の収納スペースも小さくすることがきる。
【００３９】
ストロボ用スライド板３３には、ストロボ操作部材９が一体に形成されている。このストロボ用スライド板３３は、ストロボ操作部材９のスライド操作によって上下方向にスライド移動する。ストロボ操作部材９は、ストロボ用スライド板３３の前面に突出しており、スライド板３１の側方に突出した連動部３１ａの移動軌跡上に配されている。これにより、モード選択部材８を夜景モード位置にスライドすると、連動部３１ａによってストロボ操作部材９がオン位置に押し上げられる。また、ストロボ操作部材９をオン位置からオフ位置にスライド移動すると、モード選択部材８が通常モード位置に押し下げられる。
【００４０】
ストロボ装置４は、上記のストロボ発光部１０の他に、ストロボ発光に先立って充電されるメインコンデンサ，このメインコンデンサを充電する充電回路，電源の電池，ストロボスイッチ３７，シンクロスイッチ３８などを備えている。
【００４１】
ストロボスイッチ３７は、充電スイッチとストロボ発光の有無を選択する発光選択スイッチを兼ねており、ストロボ用スライド板３３のスライドに連動してオン・オフされ、ストロボ操作部材９がオン位置にセットされることによってオンとなり、ストロボ操作部材９がオフ位置にセットされることによってオフとなる。ストロボスイッチ３７がオンとなると充電回路によってメインコンデンサが充電されるとともに、ストロボ発光が許容される。また、ストロボスイッチ３７がオフとなると、充電回路の充電動作が停止されるとともに、メインコンデンサの充電の有無にかかわらずストロボ発光が禁止される。
【００４２】
シンクロスイッチ３８は、シャッタ羽根２２が全開位置に達したときにオンとなる。ストロボスイッチ３７がオンのときにシンクロスイッチ３８がオンとなると、ストロボ放電管１７にトリガ電圧が印加されることにより、メインコンデンサに蓄えられた電荷がストロボ放電管１７で放電されてストロボ光が放出される。
【００４３】
次に上記構成の作用について説明する。撮影を行う場合には、撮影者は、巻上げノブ１４を回転操作して、写真フイルムを１コマ分巻き上げる。このフイルム巻上げに連動してシャッタチャージが行われる。また、撮影シーンに応じてモード操作部材８を操作し、通常モードまたは夜景モードを選択する。
【００４４】
例えば、通常モードを選択する場合には、モード操作部材８を下方にスライド操作して通常モード位置にセットし、この後にストロボ操作部材９を操作してストロボ発光のオン・オフを選択する。なお、モード操作部材８が夜景モード位置にセットされている場合で、撮影時にストロボ発光を行わない場合には、オン位置にセットされているストロボ操作部材９をオフ位置にスライド移動することにより、モード操作部材８を通常モード位置にセットしてもよい。
【００４５】
上記のようにモード操作部材８が通常モード位置にセットされると、スライド板３１のスライド移動に連動し、回転規制レバー２５が規制位置に回動して保持され、規制片２５ａがシャッタ羽根２２の回転軌跡上に入り込んだ状態となる。また、可動絞り板２７が挿入位置に回動し保持される。さらにこのモード操作部材８の通常モード位置への移動により、遮光板１６が退避位置にセットされる。
【００４６】
通常モード下でストロボ撮影を行う場合には、ストロボ操作部材９を操作してオン位置にセットする。ストロボ操作部材９をオン位置とすることにより、ストロボスイッチ３７がオンとなり、メインコンデンサが充電される。メインコンデンサが規定の充電電圧に達してストロボ発光の準備が完了した状態となると、図示しない発光ダイオードの点灯をライトガイド１３を通して確認できる。
【００４７】
ファインダ６を覗いてフレーミングを決定し、レリーズボタン１１を押圧操作して撮影を行う。レリーズボタン１１が押圧されると、シャッタ羽根２２は、シャッタ駆動レバーにより蹴飛ばされて閉じ位置から終端位置に向けて回動を開始する。回転規制レバー２５の規制片２５ａがシャッタ羽根２２の回転軌跡上に入り込んでいるから、終端位置に向けて回動を開始したシャッタ羽根２２は、シャッタ開口２１を全開した後に、終端位置に達する前に規制片２５ａと当接して、復帰バネ２３の付勢力で閉じ位置に向けて回動を開始する。これにより、第１シャッタ速度でシャッタ羽根２２の開閉動作が行われる。
【００４８】
また、シャッタ羽根２２がシャッタ開口２１を全開した全開位置に達した瞬間に、シンクロスイッチ３８がオンとなる。このため、ストロボ操作部材９をオン位置としている場合には、シンクロスイッチ３８のオンにより、ストロボ放電管１７にトリガ電圧が与えられてストロボ発光が行われる。そして、ストロボ放電管１７より放出されたストロボ光がストロボ発光部１０より被写体に向けて照射される。このときに、遮光板１６が退避位置となっているから、ストロボ発光部１０の全面から被写体に向けてストロボ光が照射される。したがって、この場合にはストロボ光は減光されることなく被写体に向けて照射される。なお、ストロボ操作部材９をオフ位置としている場合には、ストロボ発光は行われない。
【００４９】
ストロボ発光の有無に関わらず、上記のように第１シャッタ速度でシャッタ羽根２２の開閉動作が行われている間に、撮影レンズ５に入射した被写体からの光は、小絞り開口２７ａ，大絞り開口２６ａを通して写真フイルムに露光を与えるが、この場合には小絞り開口２７ａで光量が制限されることになる。したがって、小絞りと比較的に高速な第１シャッタ速度とを用いた撮影が行われる。
【００５０】
一方、夜景等のように暗い被写体を撮影するような場合、あるいは夜景を背景にして人物等の主要被写体を撮影する場合、暗い室内で背景を適当な濃度で再現しながら人物等の主要被写体を撮影する場合には、モード選択部材８を夜景モード位置にセットして夜景モードを選択する。
【００５１】
モード選択部材８を夜景モード位置にセットすると、連動部３１ａがストロボ操作部材９をオン位置に押し上げる。このため夜景モードを選択すれば、ストロボ発光させる状態に自動的になる。
【００５２】
モード選択部材８が夜景モード位置にセットされることにより、回転規制レバー２５が退避位置に回動して保持され、可動絞り板２７が退避位置に回動し保持される。また、ストロボ操作部材９がオン位置となることに連動して、ストロボスイッチ３７がオンとなる。このストロボスイッチ３７のオンにより、通常モードと同様にメインコンデンサの充電が行われる。さらに、モード選択部材８が夜景モード位置にセットされることにより、遮光板１６が遮光位置とされる。
【００５３】
ストロボ発光の準備の完了を確認した後に、レリーズボタン１１を押圧する。このレリーズボタン１１の押圧に応答してシャッタ羽根２２の開閉動作が行われるが、この夜景モードでは回転規制レバー２５が退避位置に回動されているから、シャッタ羽根２２は閉じ位置から終端位置にまで回動した後に、復帰バネ２３の付勢力で閉じ位置に戻る。また、シャッタ羽根２２が全開位置に達した瞬間には、シンクロスイッチ３８がオンとなりストロボ発光が行われる。このようにして大絞りと、通常モード時よりも遅い第２シャッタ速度の下でストロボ撮影が行われる。
【００５４】
上記の夜景モード下において、ストロボ放電管１７が放出するストロボ光量は通常モードと同じであるが、ストロボ発光部１０の前面には遮光位置とされた遮光板１６が配されているから、被写体に向けて照射されるストロボ光量は小さくなる。これにより、大絞りに適したストロボ光量が照射される。
【００５５】
図６，図７は本実施形態の遮光板１６を使用する場合と使用しない場合，及び図８に示すようにストロボ発光部１０を上下方向に覆う従来の遮光板５０を用いた場合のストロボ光の配光パターンを示すものである。なお、遮光板５０は、ストロボ発光部１０の中央部を上下左右対称に上下方向に覆い、ストロボ発光部１０の左右端だけからストロボ光を被写体に向けて照射することでストロボ光量を低くする。
【００５６】
図６は撮影画面中心と画面周辺部の露光量差を示すグラフであり、図９に示すように、撮影画面４０の上下方向，左右方向，対角方向の８箇所の測定位置４１〜４８についての露光量差を表している。各測定位置４１〜４８は、撮影画面４０の中心位置を０％，各方向の画面端の位置をそれぞれ１００％としたときに、対応する方向の９０％の位置である。なお、露光量差は、撮影レンズ５の焦点距離を３２ｍｍ，写真フイルム上の撮影コマのサイズを２４×３６ｍｍとし、それに応じた撮影画面の各測定位置に配した光量センサでストロボ発光部からのストロボ光を受光し、その受光量を測定することで求めている。
【００５７】
図６のグラフでは、本実施形態の遮光板１６を使用した場合を「実線」で、遮光板１６を使用しない場合を「二点鎖線」で、従来の遮光板５０を使用した場合を「破線」でそれぞれ示してある。
【００５８】
図７は、撮影画面の上下方向におけるストロボ光の配光パターンを詳細に示すグラフである。図７のグラフは、本実施形態の遮光板１６を使用した場合を「円」で、遮光板１６を使用しない場合を「四角」で、従来の遮光板５０を使用した場合を「三角」でそれぞれプロットして示している。この図７のグラフの横軸は、画面中心の位置を０％，撮影画面の上端を１００％，下端を−１００％として画面中心から上下方向の位置を表し、縦軸は遮光板を使用しない場合の撮影画面中央の露光量を基準（０ＥＶ）としたときの露光量差である。
【００５９】
ストロボ発光部１０の中央部を上下に覆う遮光板５０は、撮影画面の中央部の光量を重点的に低くすることを目的とし、図１０（ａ）に示されるように湾曲反射部１８ａで反射されて中央部に向かうストロボ光及びストロボ放電管１７から中央部に向かう直接光の一部をカットするが、中央部には図１０（ｂ）のように側面反射部１８ｂで反射されたストロボ光が配光される。ここで中央部の光量を所望とする大きさにすると、周辺部に向かうストロボ光が遮光板５０により大幅にカットされてしまうため、遮光板無しのストロボ発光部に比べ配光が悪くなった。
【００６０】
同じ目的で中央部を左右方向に覆った遮光板１６の場合は、図１０（ｂ）に示されるような側面反射部１８ｂで反射されて画面中央部へ向かうストロボ光をカットすることで効率的に画面中央部へ向かうストロボ光をカットできた。また、周辺部への配光はストロボ発光部１０の上下が露呈されているのでカット量は小さい。結果として中央部を上下に覆う遮光板５０を取り付けたストロボ発光部に比べて配光が良化している。
【００６１】
遮光板１６でストロボ発光部１０の中央部を長手方向に覆った場合に、撮影画面の中央部に比べて周辺部の露光量が多少高くなるが、撮影レンズによる周辺光量の低下を考慮すると、このように周辺部の露光量が高くなる方が好ましい。また、ストロボ撮影を行う場合には、ストロボ光で撮影しようとする比較的に近距離の主要被写体が撮影画面の中央に位置し、ストロボ光の効果が弱い背景が周辺であることが一般的であることを考慮すれば、このように周辺部の露光量が高くなる方が好ましい。
【００６２】
図１１は、ストロボ光を減光するのと同時にピント位置の調節を行う例を示すものである。なお、以下に説明する他は上記実施形態と同様であり、同じ構成部材には同一の符号を付してその詳細な説明を省略する。
【００６３】
ピント調節機構は、撮影レンズ６１，レンズ保持枠６２と，モード操作部材３１と連動する連動機構３２から構成される。レンズ保持枠６２は、短円筒形の枠であり、ユニット本体３に固定されている。そして、撮影レンズ６１は、レンズ保持枠６２内で光軸を中心に回動自在とされるとともに、光軸に沿って前後に移動自在とされており、通常焦点位置と近距離焦点位置との間で移動される。
【００６４】
レンズ保持枠６２の外周には、カム溝６２ａが形成され、撮影レンズ６１の周縁に一体に突設されたピン６１ａが係合している。これらカム溝６２ａとピン６１ａとにより、撮影レンズ６１が光軸を中心に回転すると、撮影レンズ６１はその回転方向に応じて前方または後方に移動する。
【００６５】
３本のピン６１ａのうちの１本は、連動機構３２を介してスライド板３１に接続されており、モード操作部材８を夜景モード位置から通常モード位置にスライド移動すると、撮影レンズ６１が反時計方向に回転して後方に移動し通常焦点位置にセットされる。逆に、モード操作部材８を通常モード位置から夜景モード位置にスライド移動すると、撮影レンズ６１が時計方向に回転して前方に移動し近距離焦点位置にセットされる。
【００６６】
通常焦点位置は、日中屋外などでの撮影を考慮し、また小絞り２７ａによって得られる被写界深度を利用して、比較的に近距離から遠距離までが適切なピント状態で撮影できるように決められている。一方、近距離焦点位置は、夜景モード時、すなわちストロボ光量を遮光板１６で減光したときに、そのストロボ光量で適正露光となる被写体距離に設定されている。
【００６７】
この例における通常モード，夜景モードでのシャッタ速度，絞り値，ガイドナンバーなどは次のようになっている。なお、写真フイルムとしてはフイルム感度ＩＳＯ１６００のものが用いられ、撮影レンズ６１としては焦点距離３２ｍｍのものが用いられている。また、夜景モードでは遮光板１６をストロボ発光部１０の前面に挿入することによってストロボ光量（ガイドナンバー）を小さくしている。
【００６８】
［通常モード］
シャッタ速度　　：１／１００秒（第１シャッタ速度）
絞り値　　　　　：Ｆ１４．０（小絞り）
ピントセット位置：８ｍ（通常焦点位置）
ストロボ発光　　：オン・オフを選択
ガイドナンバー　：８．８（ＩＳＯ１００・ｍ）
【００６９】
［夜景モード］
シャッタ速度　　：１／４５秒（第２シャッタ速度）
絞り値　　　　　：Ｆ５．６（大絞り）
ピントセット位置：３ｍ（近距離焦点位置）
ストロボ発光　　：オン
ガイドナンバー　：４．５（ＩＳＯ１００・ｍ）
【００７０】
図１２に夜景モードにおける錯乱円径と被写体距離の関係を示すように、プリント写真上の画像がシャープに見えるための写真フイルム上での許容錯乱円径を「０．０３ｍｍ」とした場合に、夜景モードでは約２〜６ｍの被写体距離の範囲で良好なピント状態が得られる。一方、図１３に夜景モードにおける被写体距離と適正露光との露光量の差（ＥＶ）の関係を示すように、背景とのバランスが良い主要被写体の露光量を適正露光に対して＋１〜−１ＥＶとすると、バランスが良い露出を得られる被写体距離は２〜４．２ｍとなる。結果として、被写体距離が３ｍのときに最良の撮影条件であり、２〜４ｍの被写体距離の範囲で良好な露光量とピント状態の撮影を行うことができる。
【００７１】
この構成によれば、モード選択部材８を夜景モード位置として撮影をする際には、遮光板１６でストロボ光が減光されるとともに、その減光されたストロボ光で適正露光となる被写体距離の被写体にピントが合うように撮影レンズ５のピント位置が調節され、その被写体距離及び前後の被写体が良好な露光量及びピント状態で撮影される。
【００７２】
絞りを大絞りとした場合、被写界深度が浅くなり、近距離の被写体のピントのボケ、特に被写体が人物のときのボケは目立つ。これに対して遠景のピントのボケは目立ちにくい。このため、比較的に遠い背景のピントを少し犠牲にし、近距離側の被写体に対して良好なピント状態が得られるようにするのがよく、ピント位置としては２〜４ｍの範囲内とするのが好ましく、これに対応して遮光板で減光されたストロボ光量によって適正露光となる被写体距離も２〜４ｍの範囲内とするのがよい。
【００７３】
【発明の効果】
以上説明したように、本発明のレンズ付きフイルムユニットによれば、遮光板でストロボ発光部の中央部をその長手方向に沿って覆って遮光し、ストロボ放電管を挟むストロボ発光部の上下端部からストロボ光を被写体に向けて照射するようにしたから、ストロボ光を減光しても適切な配光パターンが得られる。
【図面の簡単な説明】
【図１】本発明を実施したレンズ付きフイルムユニットの外観を示す斜視図である。
【図２】ストロボ発光部の構成を示す分解斜視図である。
【図３】ストロボ発光部と遮光板の配置関係を示す説明図である。
【図４】遮光板による遮光されるストロボ光を示す説明図である。
【図５】絞り及びシャッタ速度の切り替える機構を示すブロック図である。
【図６】撮影画面中心と撮影画面端８箇所（上下，左右，４角）との露光量差を示すグラフである。
【図７】撮影画面の上下方向におけるストロボ光の配光パターンを示すグラフである。
【図８】従来の遮光板とストロボ発光部の配置関係を示す説明図である。
【図９】露光量差を測定した測定位置を示す説明図である。
【図１０】図８の遮光板による遮光されるストロボ光を示す説明図である。
【図１１】ピント調節機構を設けた例を示すものである。
【図１２】夜景モード下における被写体距離と錯乱円径との関係を示すグラフである。
【図１３】夜景モード下における被写体距離と露光量との関係を示すグラフである。
【符号の説明】
４　ストロボ装置
５，６１　撮影レンズ
８　モード選択部材
９　ストロボ操作部材
１０　ストロボ発光部
１６　遮光板
１７　ストロボ放電管
２５　回転規制レバー
２６　固定絞り板
２７　可動絞り板
３２　連動機構
６２　レンズ保持枠６２
【図１】
2004061536.tif 000003
【図２】
2004061536.tif 000004
【図３】
2004061536.tif 000005
【図４】
2004061536.tif 000006
【図５】
2004061536.tif 000007
【図６】
2004061536.tif 000008
【図７】
2004061536.tif 000009
【図８】
2004061536.tif 000010
【図９】
2004061536.tif 000011
【図１０】
2004061536.tif 000012
【図１１】
2004061536.tif 000013
【図１２】
2004061536.tif 000014
【図１３】
2004061536.tif 000015